(57)【要約】【課題】特別な装置を付加することなく、適切な故障表示と簡易な故障判定の実現を可能とするシート供給装置及びこれを用いた画像形成装置を簡易な構成で安価に提供する。【解決手段】複数の記録シートＰを収容する給紙トレイ５と、該給紙トレイ５内において記録シートＰを下方から支持するボトムプレート６０と、給紙トレイ５内の最上位記録シートＰが所定の位置に配されるように、所定のリフトアップ動作によりボトムプレート６０を上昇させるリフター７０と、リフター７０の故障を検知する故障検知センサ６７と、給紙トレイ５の抜き挿しを検知する挿抜検知センサＳとを備え、装置電源をオフしても、挿抜検知センサＳによる監視を継続することを特徴とする。【選択図】図５
2008110860.tif 000002
【特許請求の範囲】
【請求項１】
複数の記録シートを収容する給紙トレイと、
該給紙トレイ内において前記記録シートを下方から支持するボトムプレートと、
前記給紙トレイ内の最上位記録シートが所定の位置に配されるように、所定のリフトアップ動作により前記ボトムプレートを上昇させるリフターと、
前記リフターの故障を検知する故障検知センサと、
前記給紙トレイの抜き挿しを検知する挿抜検知センサと
を備え、
装置電源をオフしても、前記挿抜検知センサによる監視を継続することを特徴とするシート供給装置。
【請求項２】
複数の記録シートを収容する給紙トレイと、
該給紙トレイ内において前記記録シートを下方から支持するボトムプレートと、
前記給紙トレイ内の最上位記録シートが所定の位置に配されるように、所定のリフトアップ動作により前記ボトムプレートを上昇させるリフターと、
前記リフターの故障を検知する故障検知センサと、
前記給紙トレイの抜き挿しを検知する挿抜検知センサと
を備え、
前記挿抜検知センサの動作電源は、装置電源と別系統に構成されていることを特徴とするシート供給装置。
【請求項３】
前記故障検知センサにより故障が検知された際には、前記給紙トレイの挿抜表示を行うことを特徴とする請求項１又は２に記載のシート供給装置。
【請求項４】
前記挿抜表示後、前記給紙トレイの挿抜が行われた場合には、さらに前記所定のリフトアップ動作を行うことを特徴とする請求項３に記載のシート供給装置。
【請求項５】
前記給紙トレイ挿抜後のリフトアップ動作により故障が復旧しない場合には、装置故障を表示することを特徴とする請求項４に記載のシート供給装置。
【請求項６】
請求項１ないし５のいずれかに記載のシート供給装置と、記録シートに所定の画像を形成する画像形成手段とを備えることを特徴とする画像形成装置。
【発明の詳細な説明】
【技術分野】
【０００１】
本発明は、複写機やレーザビームプリンタ等の画像形成装置に用いられるシート供給装置に係り、詳細には、給紙トレイに収容された記録シートを最上位のものから１枚ずつ引き抜いて画像形成部に給紙を行うシート供給装置及びこれを用いた画像形成装置の改良に関するものである。
【背景技術】
【０００２】
【特許文献１】特開２００１−３４１８５２号公報
【０００３】
従来、複写機やレーザビームプリンタ等の画像形成装置に記録シートを供給するためのシート供給装置としては、略矩形状に形成された給紙トレイの内部に揺動自在なボトムプレートを配置し、給紙トレイ内に収容された記録シートをこのボトムプレートで上方に向けて押し上げ、それによって最上位の記録シートをピックアップロールに当接させるように構成したタイプのものが知られている。このような構成のシート供給装置においては、ボトムプレートが記録シートを適切に押し上げることで、給紙トレイ内の最上位の記録シートとピックアップロールとが確実に接触し、かかるピックアップロールの回転によって記録シートを最上位のものから順番に画像形成装置に向けて送り出すことができるようになっている。
【０００４】
また、近年の高速複写機等においては、より正確な給紙動作を実現するため、記録シートの消費状況や給紙トレイの使用状況等に応じて制御される駆動モータを備えたリフターを設け、状況に応じたボトムプレートの昇降を可能としたものが提案されている（例えば、特許文献１参照）。
【０００５】
ここで、特許文献１には、ボトムプレートの上昇速度（すなわち、リフターの上昇速度）を、給紙トレイの装着時と、画像形成手段に対する記録シートの供給時とで異ならせたシート供給装置が開示されている。
【発明の開示】
【発明が解決しようとする課題】
【０００６】
本発明が目的とするところは、特別な装置を付加することなく、適切な故障表示と簡易な故障判定の実現を可能とするシート供給装置及びこれを用いた画像形成装置を簡易な構成で安価に提供することにある。
【課題を解決するための手段】
【０００７】
上記目的を達成するために、請求項１に記載のシート供給装置は、複数の記録シートを収容する給紙トレイと、該給紙トレイ内において前記記録シートを下方から支持するボトムプレートと、前記給紙トレイ内の最上位記録シートが所定の位置に配されるように、所定のリフトアップ動作により前記ボトムプレートを上昇させるリフターと、前記リフターの故障を検知する故障検知センサと、前記給紙トレイの抜き挿しを検知する挿抜検知センサとを備え、装置電源をオフしても、前記挿抜検知センサによる監視を継続することを特徴とするものである。
【０００８】
請求項２に記載のシート供給装置は、複数の記録シートを収容する給紙トレイと、該給紙トレイ内において前記記録シートを下方から支持するボトムプレートと、前記給紙トレイ内の最上位記録シートが所定の位置に配されるように、所定のリフトアップ動作により前記ボトムプレートを上昇させるリフターと、前記リフターの故障を検知する故障検知センサと、前記給紙トレイの抜き挿しを検知する挿抜検知センサとを備え、前記挿抜検知センサの動作電源は、装置電源と別系統に構成されていることを特徴とするものである。
【０００９】
請求項３に記載のシート供給装置は、請求項１又は２に記載の構成において、前記故障検知センサにより故障が検知された際には、前記給紙トレイの挿抜表示を行うことを特徴とするものである。
【００１０】
請求項４に記載のシート供給装置は、請求項３に記載の構成において、前記挿抜表示後、前記給紙トレイの挿抜が行われた場合には、さらに前記所定のリフトアップ動作を行うことを特徴とするものである。
【００１１】
請求項５に記載のシート供給装置は、請求項４に記載の構成において、前記給紙トレイ挿抜後のリフトアップ動作により故障が復旧しない場合には、装置故障を表示することを特徴とするものである。
【００１２】
請求項６に記載の画像形成装置は、請求項１ないし５のいずれかに記載のシート供給装置と、記録シートに所定の画像を形成する画像形成手段とを備えることを特徴とするものである。
【発明の効果】
【００１３】
請求項１に記載の発明によれば、装置電源オフ時でも、挿抜検知センサの監視を継続することにより、不要な故障表示の防止や、その後の簡易な復旧判定の実現に寄与することができる。
【００１４】
請求項２に記載の発明によれば、装置電源オフ時でも、挿抜検知センサの監視が可能となり、これにより、不要な故障表示の防止や、その後の簡易な復旧判定の実現に寄与することができる。
【００１５】
請求項３に記載の発明によれば、給紙トレイの挿抜を促すことにより、故障状態の目視確認及びこれに伴う迅速な復旧措置が可能となる。
【００１６】
請求項４に記載の発明によれば、給紙トレイの挿抜が行われた場合のみ所定のリフトアップ動作を行って、リフターに対する不測のダメージを未然に防止すると共に、所定のリフトアップ動作によるリフターの故障／復旧についての簡易的な検証を可能としてユーザーの利便性の向上を図ることができる。
【００１７】
請求項５に記載の発明によれば、給紙トレイ後のリフトアップ動作による故障判定の後、装置故障を表示するので、不要な装置故障表示によるユーザーの利便性の低下を未然に防止することができる。
【００１８】
請求項６に記載の発明によれば、本発明を上記いずれかのシート供給装置を備えた画像形成装置にも適用することができる。
【発明を実施するための最良の形態】
【００１９】
以下、本発明の一実施の形態について、図１〜図３を参照して説明する。ここで、図１は、本発明に係る画像形成装置としてのデジタル複写機の一例を示すものであり、図２は、本発明に係るシート供給装置の概要を説明するための模式図である。
【００２０】
図１に示すように、本発明に係る画像形成装置は、プラテン１０上に置かれた原稿１１の画情報を光学的に読み取ってこれをＣＣＤセンサ１２で電気的な画像データに変換する画像入力部（ＩＩＴ）１と、この画像入力部１から転送された画情データに基づいて記録シートＰ上に画像形成を行う画像出力部（ＩＯＴ）２とから構成されており、さらに、上記画像入力部１にはプラテン１０に対して原稿１１を自動給送するＡＤＦ１３を取り付けることができるようになっている。
【００２１】
上記画像出力部２は画像入力部１から転送された画像データに基づいて感光体ドラム２０上にトナー像を形成した後、かかるトナー像を無端状の転写ベルト３に一次転写し、さらに転写ベルト３上のトナー像を記録シートＰに二次転写することで該記録シートＰ上に記録画像を形成しており、トナー像が二次転写された記録シートＰは定着器４を経て排出トレイ５０上に排出されるようになっている。
【００２２】
また、上記感光体ドラム２０は所定のプロセス速度で矢線方向に回動しており、その周囲には、かかる感光体ドラム２０の表面を所定の背景部電位にまで一様帯電する帯電コロトロン２１と、画像データに基づいて変調されたレーザビームで感光体ドラム２０を露光し、該感光体ドラム２０上に静電潜像を形成するレーザビームスキャナ２２と、感光体ドラム上の静電潜像を現像する現像器２３と、転写ベルト３に対するトナー像の一次転写に先立って感光体ドラム２０上の電位を除去する転写前処理コロトロン２４と、トナー像の一次転写が終了した後の感光体ドラム２０上の残留トナーを除去するクリーナ２５とが配置されている。
【００２３】
一方、上記転写ベルト３は複数のロールに掛け回されて矢線方向に回動しており、感光体ドラム２０上に形成されるトナー像はこの転写ベルト３に転写された後に、かかる転写ベルト３から記録シートＰへ二次転写されるようになっている。この転写ベルト３を挟んで感光体ドラム２０と対向する位置には該感光体ドラム２０との間に転写電界を形成する一次転写ロール３０が配設される一方、トナー像の二次転写位置には二次転写ロール３１及び対向電極ロール３２が転写ベルト３を挟んで配設されており、記録シートＰは上記二次転写ロール３１と転写ベルト３との間に挿通されてトナー像が転写されるように構成されている。また、転写ベルト３の回動経路のうち、二次転写位置と一次転写位置との間には、二次転写が終了した転写ベルト３の表面から紙粉や残留トナーを除去するベルトクリーナ３３が設けられている。
【００２４】
また、上記画像出力部２の下方は、該画像出力部に対して記録シートＰを供給するための給紙部となっており、サイズの異なる記録シートＰを収容した４段の給紙トレイ５ａ〜５ｄが装備されている。そして、複写作業で選択されたサイズの記録シートＰがピックアップロール５１の回動により、いずれかの給紙トレイから画像出力部２へ送り出されるようになっている。各給紙トレイ５ａ〜５ｄからトナー像の二次転写位置へ至る記録シートＰの搬送経路上には複数のシート搬送ロール５２が配設されていると共に、二次転写位置の直前にはレジストレーションロール５３が配設されており、かかるレジストレーションロール５３は給紙トレイ５ａ〜５ｄから送り出された記録シートＰを感光体ドラム２０に対する静電潜像の書き出しタイミングに同期した所定のタイミングで二次転写位置に送り込むようになっている。
【００２５】
なお、図１中において、符号２６は画像入力部１から画像出力部２に転送されてきた画像データを複写作業の内容に応じて処理した後に上記レーザビームスキャナ２２に供給する画像処理部、符号５４は記録シートＰの手差し給紙に用いる手差しトレイ、符号５５はトナー像が二次転写された記録シートＰを定着器４へ給送するためのシート搬送ベルト、符号５６は記録シートＰの両面コピーの際に該記録シートＰを反転させて定着器４から二次転写位置へ給送するためのインバータ通路である。また、符号ＣＲは、各構成機器の所定の制御動作を司る装置コントローラである。
【００２６】
以上のように構成された本実施の形態に係る画像形成装置では、画像入力部１によって取り込まれた原稿の画情報に基づいてレーザビームスキャナ２２が感光体ドラム２０を露光し、感光体ドラム２０上には画情報に対応した静電潜像の書き込みが行われる。この静電潜像は現像器２３によってその書き込みタイミングから少し遅れて現像される。そして、このようにして形成されたトナー像は一次転写ロール３０によって転写ベルト３上に一次転写され、転写ベルト３はトナー像を担持したまま回転する。転写ベルト上に一次転写されたトナー像は所定のタイミングでレジストレーションロール５３から送られてきた記録シートＰに二次転写され、未定着トナー像が転写された記録シートＰは定着器４を経て排出トレイ５０に排出される。
【００２７】
さらに、本実施の形態に係る画像形成装置においては、例えば、給紙部や搬送部といった駆動部を構成する構成部材の駆動状態を、各種センサや装置コントローラＣＲ等を介して監視して故障箇所の特定を行うと共に、当該故障箇所に関連するセンサ（例えば、シート供給装置に関する給紙トレイの挿抜検知センサ等）については、常時監視用に設けられた後述する電源系統により装置電源オフ後も継続監視できるようになっている。
【００２８】
また、本実施の形態に係るシート供給装置は、画像形成装置の給紙部を構成し、記録シートＰの収容空間を有して略矩形状に形成された給紙トレイ５ａ〜５ｄ（各給紙トレイ５ａ〜５ｄは基本的に同構造であるため、以下、給紙トレイ５と総称表記する）等を備え、この給紙トレイ５は、図２（ａ）に示すように、画像形成装置の筐体に対してフロント側（図１の紙面手前側）から挿入し得るように構成されている。なお、本実施の形態において、給紙トレイ５と対向する画像形成装置側の筐体には、給紙トレイの抜き挿しを検知する不図示の挿抜検知センサＳが配設されている。また、給紙トレイ５の内部には記録シートＰを搭載すると共に、該記録シートＰの先端を上方へ向けて押し上げるボトムプレート６０が設けられており、このボトムプレート６０は記録シートＰの後端側に対応した後端部６１を支点として揺動するように構成されている。さらに、このボトムプレート６０の下側には該ボトムプレート６０の先端を上方へリフトアップさせるための、回転軸６２Ｓ回りに回転自在に形成されたリフトアーム６２が配設されており、図２（ｂ）に示すように、このリフトアーム６２が回転することによってボトムプレート６０が後端部６１を中心として揺動し、記録シートＰの先端が持ち上がるようになっている。
【００２９】
そして、この給紙トレイ５が挿入される画像形成装置の筐体側には、給紙トレイ５内に位置決めされた記録シートＰの先端に対応して前述のピックアップロール５１が設けられており、ボトムプレート６０の上昇によって記録シートＰの先端が持ち上がると、給紙トレイ５内で最上位に位置する記録シートＰの先端がピックアップロール５１と圧接するようになっている。これにより、ピックアップロール５１が回転すると、記録シートＰとピックアップロール５１との間に所定の摩擦力が作用し、最上位の記録シートＰが給紙トレイ５から引き出される。また、給紙トレイ５から引き出された記録シートＰが多数枚重なった状態で搬送される、いわゆる重送を防止するため、画像形成装置の筐体側には上記ピックアップロール５１に隣接してフィードロール６３及びリタードロール６４が設けられている。給紙トレイ５から引き出された記録シートＰはこれらフィードロール６３及びリタードロール６４の間を通過する際に一枚ずつに分離される。なお、フィードロール６３とピックアップロール５１は共通のモータ（図示せず）によって回転駆動される一方、リタードロール６４は回転することなくフィードロール６３と対向している。
【００３０】
次に、上述した本発明に係るシート供給装置の一部を構成するリフターについて図３を参照してさらに説明する。ここで、図３はリフターの制御構成を示す模式的ブロック図である。
【００３１】
図３に模式的に示すように、本発明に係るリフター７０は、ボトムプレート６０をリフトアップさせるリフトアーム６２、このリフトアーム６２の回転軸６２Ｓを回転駆動するアーム駆動モータ６５、ＩＯＴ動作情報等よりモータ６５の回転速度を制御するモータ制御部６６、記録シートＰを検知するリフトアップセンサ６７等より構成されている。
【００３２】
アーム駆動モータ６５は、例えば、給紙トレイ５が挿入される画像形成装置の筐体のリア側に設けられており、給紙トレイ５を画像形成装置の筐体にフロント側から挿入すると、ギヤ列（図示せず）を介してアーム駆動モータ６５とリフトアーム６２の回転軸６２Ｓとが連結されるようになっている。本実施の形態において、上記アーム駆動モータ６５はステッピングモータであり、モータ制御部６６が生成する駆動信号に応じて所定量だけ所定速度で回転し、リフトアーム６２を回転させてボトムプレート６０を所定の位置までリフトアップさせる。また、ボトムプレート６０をリフトアップさせた結果として、給紙トレイ５内の記録シートＰが、ピックアップロール５１に確実に接触する所定の位置までリフトアップされたことを確認するため、画像形成装置の筐体側には記録シートＰを検知するリフトアップセンサ６７が設けられており、このリフトアップセンサ６７の出力信号が上記モータ制御部６６に取り込まれるようになっている。なお、このモータ制御部６６には画像出力部（ＩＯＴ）２の動作情報も取り込まれており、これらの情報によってモータ制御部６６はボトムプレート６０のリフトアップ速度を決定し得るようになっている。そして、モータ制御部６６はこのリフトアップセンサ６７の出力信号及びＩＯＴ動作情報を参照しながらアーム駆動モータ６５の駆動信号を生成することにより、記録シートＰがピックアップロール５１に対して適度に圧接する所定の位置までボトムプレート６０をリフトアップさせ、当該所定の位置にて停止させるようになっている（以下、このような動作を所定のリフトアップ動作とも称する）。
【００３３】
さらに、給紙トレイ５が挿入される画像形成装置の筐体側には、給紙トレイ５の着脱（抜き挿し）を検出する不図示の挿抜検知センサＳが設けられている。なお、このモータ制御部６６は、シート供給装置専用に設けてもよいし、画像形成装置の装置コントローラＣＲに兼用させてもよい。
【００３４】
ここで、リフター７０の動作の正常／異常の判定は、モータ制御部６６から駆動指令がアーム駆動モータ６５に出力された後、所定の時間内にリフトアップセンサ６７が動作するか否かにより判定される。すなわち、本実施の形態において、リフトアップセンサ６７は、所定のリフトアップ動作の正常／異常を判定するための故障検知センサとして機能し、具体的には、リフター７０動作後、所定の時間内にリフトアップセンサ６７が動作しない場合には、何らかのリフター故障が発生したと判定するようになっている。
【００３５】
次に、本発明に係る画像形成装置の電源系統の構成例について、図４を参照して説明する。
【００３６】
図４に模式的に示すように、装置電源ＰＳは、メインスイッチＳＷを介して、ＯＮ／ＯＦＦされる構成となっており、このメインスイッチＳＷを投入することにより、それぞれ高圧電源（例えば、１．０〜１０ｋＶ）ＨＶＰＳや、低圧電源（例えば、３〜５０Ｖ）ＬＶＰＳが投入され、高圧電源ＨＶＰＳからは、例えば、帯電コロトロン２１等に所定の高電圧の電力が供給されると共に、低圧電源ＬＶＰＳからは、例えば、モータ６５やコントローラＣＲ等に所定の低電圧の電力が供給されるようになっている。
【００３７】
そして本発明に係る電源系統は、さらに、メインスイッチＳＷの上流側に接続される常時監視用の電源系統ＳＶを有し、この常時監視用電源系統ＳＶは、所定のセンサやインターロックスイッチに接続され、メインスイッチＳＷのＯＮ／ＯＦＦに関わらず、これらのセンサやスイッチが常時監視可能なように構成されている。なお、本実施の形態では、給紙トレイ５の着脱（抜き挿し）を検知する挿抜検知センサＳが常時監視可能なように構成されている。
【００３８】
一般に、リフター部等に故障が発生した場合には、一旦、装置電源をオフするユーザーが多く、装置電源停止後に給紙トレイ５の抜き挿しを行った場合には、リフター部の機械的な引っ掛り等が解消されて故障が復旧している可能性が増大している。
【００３９】
このような状況で、従来構成のシート供給装置や画像形成装置においては、装置電源停止中に給紙トレイ５の抜き挿し等が行われて故障が回復している場合でも、かかる状況は検知されないので、装置電源を再び投入した際には再度故障表示等を行うこととなり、ユーザーの保守性・利便性を損なうこととなってしまう。
【００４０】
そこで、本発明に係るシート供給装置では、装置電源停止後も給紙トレイ５の挿抜検知センサＳの監視を継続し、次のような手順により簡易な故障回復の判定を行うと共に不要な故障表示を省略して、ユーザーの保守性・利便性の向上を図っている。
【００４１】
以下に、本実施の形態に係るシート供給装置の制御動作について、図５のフローチャートを参照して説明する。
【００４２】
まず、故障検知センサ６７の出力より、リフター７０に故障が発生しているか否かを判定する（ＳＴ１）。
【００４３】
具体的には、リフター７０を動作させてボトムプレート６０（記録シートＰ）をリフトアップさせた際に、所定の時間内にリフトアップセンサ６７が動作する（所定のリフトアップ動作が正常に完了する）場合には、故障が発生していないと判断し、通常の画像形成動作のスタンバイ状態とする（ＳＴ１０）。
【００４４】
一方、所定の時間内にリフトアップセンサ６７が動作しない場合には何らかのリフター故障が発生したものと判断し、給紙トレイ５の抜き挿しを促す挿抜表示を、例えば操作パネル上に表示する（ＳＴ２）。このように故障が発生していると判断される場合に挿抜表示を行って、給紙トレイ５を画像形成装置から一旦引き出すことにより、給紙トレイ５の状態を目視にて確認することができ、例えば、給紙トレイ５内の記録シートＰのセッティングに異常がある場合には、オペレータによる迅速な復旧が可能となる。また、一般に、リフター異常が発生するケースとしては、ボトムプレート６０等が、機械的に引っ掛って異常検出されるケースが多いが、このようなケースでは、給紙トレイ５を一旦画像形成装置から引き出すことにより、リフトアーム６２の回転軸６２Ｓがアーム駆動モータ６５のギア列から分離されて、ボトムプレート６０が自重により降下して、引っ掛りによるロック状態が解除され易くなるので、故障が復旧される可能性が増大する。
【００４５】
そこで次に、挿抜検知センサＳの検知結果に基づいて、給紙トレイ５の抜き挿しが行われたか否かを判断（ＳＴ３）し、給紙トレイ５の挿抜が検出された場合には、再び所定のリフトアップ動作を行う（ＳＴ４）。この際、給紙トレイ５の着脱は、装置電源をオフしている期間中も継続して監視されているので、ユーザーが装置電源をオフした後に給紙トレイ５を引き出して、復旧処置を施した場合でも、給紙トレイ５の状態変化を検出することが可能となる。
【００４６】
そして、所定のリフトアップ動作後、再びリフター故障が発生しているか否かの判定を行い（ＳＴ５）、所定の時間内でリフトアップセンサ６７が動作しない場合には、給紙トレイ５の挿抜だけでは復旧できない重度の故障が発生したものと判断して、この時点で、例えば、装置故障の表示や、サービスマンコールの表示を行う。
【００４７】
一方、所定のリフトアップ動作後、所定の時間内でリフトアップセンサ６７が動作する場合、すなわちリフター故障が復旧していると判定される場合には、通常の画像形成動作のスタンバイ状態とする（ＳＴ７）。
【００４８】
このように、リフター故障が発生した後に給紙トレイ５の挿抜動作が行われた場合には、かかる挿抜動作を装置電源停止後も検知することにより、その後の装置電源投入の際リフター７０を再び駆動して、所定の時間内にリフトアップセンサ６７が動作するか否かにより故障／復旧を判定し、再び故障発生する時点で、初めて故障表示等を行うことにより、不要な故障表示を抑制してユーザーの利便性の向上を図ることができる。
【００４９】
なお、上述の故障表示（ＳＴ６）は、同様なリフター故障が所定の回数発生した時点で、表示するように構成してもよい。具体的には、リフトアップ動作（ＳＴ４）後に、ＳＴ５にてリフター故障が発生したと判断された場合には、再び、ＳＴ２の挿抜表示を行い、このようなリフトアップ動作後のリフター故障の発生検知サイクル（ＳＴ２〜ＳＴ５）を所定の回数（例えば、２〜３回）繰り返した後、それでも故障が回復しないと判定される場合に、初めて故障表示を行ってもよい。これにより、給紙トレイ５の挿抜という簡易な復旧動作による故障回復の可能性を増大させることができる。
【００５０】
また、作業時の安全性の確保という観点から、サービスマンによる故障処置を行う際には、常時監視用の電源系統に設けた不図示の電源スイッチ等により、常時監視用の電源系統ＳＶをオフすることが好ましい。
【００５１】
以上のような手順により、トレイの挿抜という簡易な操作で、シート供給装置の迅速な故障復旧を図ると共に、不要な故障表示を省略してユーザーの利便性を向上させることが可能となる。
【００５２】
なお、本発明の適用対象は、上記シート供給装置のリフター部に限定されるものではなく、画像形成装置を構成する任意の駆動部に適用することができる。例えば、画像形成装置の筐体カバーのオープンを検知して、その後の画像形成動作を禁止するインターロックスイッチ等に本発明を適用し、装置電源停止後も当該スイッチの監視を継続することにより、所定の場合に装置電源投入後のスタンバイ動作等をも禁止することができ、安全性の一層の向上を図ることができる。
【００５３】
また、本発明のシート供給装置が適用可能な画像形成装置は、前述した構成のモノクロ画像形成装置に限定されるものではなく、いわゆるタンデム型、ロータリー型等の任意の構成のカラー画像形成装置にも当然に適用可能である。
【図面の簡単な説明】
【００５４】
【図１】本発明に係る画像形成装置の一実施の形態を示す概略構成図である。
【図２】本発明にシート供給装置の構成を示す模式図である。
【図３】本発明に係るシート供給装置のリフターの動作を説明するための模式的ブロック図である。
【図４】本発明に係る電源系統の構成を模式的に示す図である。
【図５】本発明に係るシート供給装置の制御内容を示すフローチャートである。
【符号の説明】
【００５５】
１：画像入力部、２：画像出力部、３：転写ベルト、４：定着器、５：給紙トレイ、２０：感光体ドラム、２１：帯電コロトロン、２２：レーザビームスキャナ、２３：現像器、２４：転写前処理コロトロン、２５：クリーナ、３０：一次転写ロール、３１：二次転写ロール、３３：ベルトクリーナ、５０：排出トレイ、５１：ピックアップロール、５３：レジストレーションロール、６０：ボトムプレート、６２：リフトアーム、６３：フィードロール、６４：リタードロール、６５：アーム駆動モータ、６６：モータ制御部、６７：リフトアップセンサ、７０：リフター、ＣＲ：装置コントローラ、Ｐ：記録シート、ＰＳ：装置電源、ＨＶＰＳ：高圧電源、ＬＶＰＳ：低圧電源、Ｓ：挿抜検知センサ、ＳＶ：常時監視用電源系統、ＳＷ：メインスイッチ
【図１】
2008110860.tif 000003
【図２】
2008110860.tif 000004
【図３】
2008110860.tif 000005
【図４】
2008110860.tif 000006
【図５】
2008110860.tif 000007